(57)【要約】【課題】用紙サイズを変更する際に、用紙を幅方向に位置決めする用紙ガイドの幅調整作業と、用紙を支持するトレイの位置調整作業とを容易に行うことができるようにする。【解決手段】トレイ装置２０は、用紙Ｐの少なくとも一部を支持する支持トレイ２１と、用紙Ｐの幅に合わせて幅方向に移動可能な用紙ガイド２５と、中心軸３１を中心に回動可能な回動トレイ３０と、用紙ガイド２５の幅方向の移動に基づいて回動トレイ３０を起立位置と倒伏位置との間で回動させるリンク機構４０とを備える。【選択図】図３
2017030934.tif 000002
【特許請求の範囲】
【請求項１】
所定の搬送方向に沿って搬送される用紙に印刷を行うプリンタであって、
前記用紙を支持するトレイ装置と、
前記用紙に印刷する印刷部とを備え、
前記トレイ装置は、
前記用紙の搬送方向である第１方向に延設され該用紙の少なくとも一部を支持する支持トレイと、
前記第１方向に搬送面上で直交する第２方向の少なくとも一端側に配設され、第２方向に移動可能な用紙ガイドと、
前記第２方向の移動に基づいて、前記支持トレイよりも第１方向の上流側に向かって起立した起立位置と、前記第２方向に沿って倒れた倒伏位置との間で回動する回動トレイとを有するプリンタ。
【請求項２】
請求項１において、
前記回動トレイは、前記第２方向の中央寄りの位置で起立するように構成されているプリンタ。
【請求項３】
請求項１において、
前記回動トレイは、前記第２方向の端部寄りの位置で起立するように構成されているプリンタ。
【請求項４】
請求項１乃至３のうち何れか１つにおいて、
前記倒伏位置にあるときの前記回動トレイは、その全体が前記支持トレイ側から見て該支持トレイに重なり合っているプリンタ。
【請求項５】
請求項１乃至３のうち何れか１つにおいて、
前記回動トレイは、前記起立位置において前記第１方向に延設する起立部と、該起立部の前記第１方向の上流側端部から第２方向に向かって延びる延設部とを有するプリンタ。
【請求項６】
請求項１乃至３のうち何れか１つにおいて、
前記回動トレイは、板厚方向に重ね合わされ且つ同軸の中心軸を中心に回動可能な複数枚の回動プレートを有し、
前記回動プレートは、前記第２方向の移動に基づいて扇状に開閉することで、前記用紙を支持する支持面積が可変となるように構成されているプリンタ。
【請求項７】
請求項６において、
互いに隣接する前記回動プレートの一方には、係合溝が形成され、
互いに隣接する前記回動プレートの他方には、前記係合溝に沿って摺動可能で且つ該係合溝の摺動方向の端部で該回動プレートに係合する係合爪が設けられているプリンタ。
【請求項８】
請求項１乃至３のうち何れか１つにおいて、
前記回動トレイを所定の回動角度で姿勢保持するロック部を備えたプリンタ。
【請求項９】
請求項８において、
前記ロック部は、前記支持トレイ又は前記回動トレイの一方に設けられた嵌合凹部と、他方に設けられて該嵌合凹部に嵌合する嵌合凸部とを有するプリンタ。
【請求項１０】
請求項９において、
前記嵌合凹部及び前記嵌合凸部のうち少なくとも一方は、前記回動トレイを複数の回動角度でそれぞれ姿勢保持するために複数設けられているプリンタ。
【請求項１１】
請求項１乃至１０のうち何れか１つにおいて、
前記第２方向の移動に基づいて、前記回動トレイを前記起立位置と前記倒伏位置との間で回動させるリンク機構を備え、
前記リンク機構は、
前記用紙ガイドに一体に設けられたガイドラック部と、
前記回動トレイに一体に設けられた回動ギア部と、
前記ガイドラック部に噛み合う第１のピニオンギアと、
前記第１のピニオンギアに噛み合う第２のピニオンギアと、
前記第２のピニオンギアの回転駆動力を前記回動ギア部に伝達するラック部材とを有するプリンタ。
【請求項１２】
請求項１乃至１０のうち何れか１つにおいて、
前記第２方向の移動に基づいて、前記回動トレイを前記起立位置と前記倒伏位置との間で回動させるリンク機構を備え、
前記リンク機構は、
前記用紙ガイドに一体に設けられたガイドラック部と、
前記回動トレイに一体に設けられた回動ギア部と、
前記ガイドラック部に噛み合う第１のプーリー付ギアと、
前記回動ギア部に噛み合う第２のプーリー付ギアと、
前記第１のプーリー付ギアに一体に設けられた第１のプーリー部と、前記第２のプーリー付ギアに一体に設けられた第２のプーリー部とに巻き掛けられた伝動ベルトとを有するプリンタ。
【請求項１３】
所定の搬送方向に沿って搬送される用紙を支持するトレイ装置であって、
前記用紙の搬送方向である第１方向に延設され該用紙の少なくとも一部を支持する支持トレイと、
前記第１方向に搬送面上で直交する第２方向の少なくとも一端側に配設され、第２方向に移動可能な用紙ガイドと、
前記第２方向の移動に基づいて、前記支持トレイよりも第１方向の上流側に向かって起立した起立位置と、前記第２方向に沿って倒れた倒伏位置との間で回動する回動トレイとを備えたトレイ装置。
【発明の詳細な説明】
【技術分野】
【０００１】
本発明は、プリンタ及びトレイ装置に関するものである。
【背景技術】
【０００２】
従来、複数の用紙が積層された用紙束を支持する媒体支持体と、媒体支持体に支持された用紙束の幅方向における端部に当接することで用紙束を幅方向に位置決めする一対のエッジガイドとを備えた記録装置が知られている（例えば、特許文献１参照）。
【０００３】
特許文献１では、媒体支持体には、その上端部よりも上方に出し入れ可能な延設部が設けられており、サイズが大きい用紙であっても安定して支持できるようにしている。また、エッジガイドは、用紙サイズに合わせて幅方向に移動可能となっている。
【先行技術文献】
【特許文献】
【０００４】
【特許文献１】特開平１１−１０６０６１号公報
【発明の概要】
【発明が解決しようとする課題】
【０００５】
しかしながら、特許文献１の発明では、用紙サイズを変更する際に、用紙サイズに合わせて媒体支持体の延設部を出し入れする作業と、エッジガイドを幅方向に移動させる作業とを、それぞれ別々に行わなければならず、手間がかかってしまうという問題があった。
【０００６】
本発明は、かかる点に鑑みてなされたものであり、その目的は、用紙サイズを変更する際に、用紙を幅方向に位置決めする用紙ガイドの幅調整作業と、用紙を支持するトレイの位置調整作業とを容易に行うことができるようにすることにある。
【課題を解決するための手段】
【０００７】
本発明の一態様は、所定の搬送方向に沿って搬送される用紙に印刷を行うプリンタを対象としている。そして、前記用紙を支持するトレイ装置と、前記用紙に印刷する印刷部とを備え、前記トレイ装置は、前記用紙の搬送方向である第１方向に延設され該用紙の少なくとも一部を支持する支持トレイと、前記第１方向に搬送面上で直交する第２方向の少なくとも一端側に配設され、第２方向に移動可能な用紙ガイドと、前記第２方向の移動に基づいて、前記支持トレイよりも第１方向の上流側に向かって起立した起立位置と、前記第２方向に沿って倒れた倒伏位置との間で回動する回動トレイとを有する。
【０００８】
この態様では、用紙ガイドを第２方向に移動させると、回動トレイが起立位置と倒伏位置との間で回動する。これにより、用紙ガイドの幅調整作業を行うだけで、回動トレイの位置調整作業を自動的に行うことができ、作業性が向上する。
【０００９】
具体的に、Ａ４サイズのような幅広の用紙を支持トレイに支持する場合には、支持トレイの搬送方向の上流側の端部から用紙が垂れ下がるのを抑える必要がある。そこで、幅広の用紙に合わせて用紙ガイドを移動させたときに、回動トレイを起立位置に自動的に回動させるようにすれば、起立位置にある回動トレイによって用紙を支持することができる。
【００１０】
一方、はがきサイズのような幅狭の用紙を支持トレイに支持する場合には、回動トレイによって用紙を支持する必要が無い。そこで、幅狭の用紙に合わせて用紙ガイドを移動させたときに、回動トレイを倒伏位置に自動的に回動させるようにすれば、回動トレイを支持トレイの背面側に格納することができ、見栄えが向上するとともに設置スペースを削減することができる。
【００１１】
そして、上の態様のプリンタにおいて、前記回動トレイは、前記第２方向の中央寄りの位置で起立するように構成されていてもよい。
【００１２】
この態様では、第２方向の中央寄りの位置で回動トレイが起立するので、回動トレイによって用紙をバランス良く支持することができる。
【００１３】
また、上の態様のプリンタにおいて、前記回動トレイは、前記第２方向の端部寄りの位置で起立するように構成されていてもよい。
【００１４】
この態様では、第２方向の端部寄りの位置で回動トレイが起立するので、起立位置にあるときの回動トレイの全長を長めに設定することができ、用紙の支持面積を大きくすることができる。
【００１５】
また、上の態様のプリンタにおいて、前記倒伏位置にあるときの前記回動トレイは、その全体が前記支持トレイ側から見て該支持トレイに重なり合っていてもよい。
【００１６】
この態様では、回動トレイが倒伏位置にあるときには、回動トレイの全体が支持トレイに重なり合っているので、回動トレイを支持トレイの背面側に格納することができ、見栄えが向上するとともに設置スペースを削減することができる。
【００１７】
また、上の態様のプリンタにおいて、前記回動トレイは、前記起立位置において前記第１方向に延設する起立部と、該起立部の前記第１方向の上流側端部から第２方向に向かって延びる延設部とを有していてもよい。
【００１８】
この態様では、回動トレイは、起立部と延設部とを有する。つまり、回動トレイは、起立位置にあるときに、第１方向に延設してその上流側端部から第２方向に向かって延びることでＬ字状に形成されている。これにより、延設部によって、用紙の支持面積を大きくすることができ、用紙を安定して支持することができる。
【００１９】
また、上の態様のプリンタにおいて、前記回動トレイは、板厚方向に重ね合わされ且つ同軸の中心軸を中心に回動可能な複数枚の回動プレートを有し、前記回動プレートは、前記第２方向の移動に基づいて扇状に開閉することで、前記用紙を支持する支持面積が可変となるように構成されていてもよい。
【００２０】
この態様では、回動トレイは、複数枚の回動プレートを有する。回動プレートは、第２方向の移動に基づいて扇状に開閉される。これにより、用紙の幅に合わせて用紙の支持面積を可変とすることができる。
【００２１】
また、上の態様のプリンタにおいて、互いに隣接する前記回動プレートの一方には、係合溝が形成され、互いに隣接する前記回動プレートの他方には、前記係合溝に沿って摺動可能で且つ該係合溝の摺動方向の端部で該回動プレートに係合する係合爪が設けられていてもよい。
【００２２】
この態様では、複数枚の回動プレートには、係合溝及び係合爪が設けられる。係合爪は、回動プレートが回動する際に、係合溝に沿って摺動して回動プレートに係合されることで、回動プレートを扇状に開くことができる。
【００２３】
また、上の態様のプリンタにおいて、前記回動トレイを所定の回動角度で姿勢保持するロック部を備えていてもよい。
【００２４】
この態様では、ロック部によって、用紙サイズに合わせた回動角度となるように、回動トレイを姿勢保持することができる。
【００２５】
また、上の態様のプリンタにおいて、前記ロック部は、前記支持トレイ又は前記回動トレイの一方に設けられた嵌合凹部と、他方に設けられて該嵌合凹部に嵌合する嵌合凸部とを有していてもよい。
【００２６】
この態様では、嵌合凹部に嵌合凸部を嵌合することで、回動トレイを所定の回動角度で姿勢保持することができる。
【００２７】
また、上の態様のプリンタにおいて、前記嵌合凹部及び前記嵌合凸部のうち少なくとも一方は、前記回動トレイを複数の回動角度でそれぞれ姿勢保持するために複数設けられていてもよい。
【００２８】
この態様では、嵌合凹部及び嵌合凸部のうち少なくとも一方が複数設けられているので、回動トレイを複数の回動角度で姿勢保持することができる。
【００２９】
また、上の態様のプリンタにおいて、前記第２方向の移動に基づいて、前記回動トレイを前記起立位置と前記倒伏位置との間で回動させるリンク機構を備え、前記リンク機構は、前記用紙ガイドに一体に設けられたガイドラック部と、前記回動トレイに一体に設けられた回動ギア部と、前記ガイドラック部に噛み合う第１のピニオンギアと、前記第１のピニオンギアに噛み合う第２のピニオンギアと、前記第２のピニオンギアの回転駆動力を前記回動ギア部に伝達するラック部材とを有していてもよい。
【００３０】
この態様では、リンク機構を、ガイドラック部、回動ギア部、第１及び第２のピニオンギア、及びラック部材を組み合わせた構成とすることで、用紙ガイドの第２方向の移動に基づいて、回動トレイを回動させることができる。
【００３１】
また、上の態様のプリンタにおいて、前記第２方向の移動に基づいて、前記回動トレイを前記起立位置と前記倒伏位置との間で回動させるリンク機構を備え、前記リンク機構は、前記用紙ガイドに一体に設けられたガイドラック部と、前記回動トレイに一体に設けられた回動ギア部と、前記ガイドラック部に噛み合う第１のプーリー付ギアと、前記回動ギア部に噛み合う第２のプーリー付ギアと、前記第１のプーリー付ギアに一体に設けられた第１のプーリー部と、前記第２のプーリー付ギアに一体に設けられた第２のプーリー部とに巻き掛けられた伝動ベルトとを有していてもよい。
【００３２】
この態様では、リンク機構を、ガイドラック部、回動ギア部、第１及び第２のプーリー付ギア、及び伝動ベルトとを組み合わせた構成とすることで、用紙ガイドの第２方向の移動に基づいて、回動トレイを回動させることができる。
【００３３】
また、本発明の別の態様は、所定の搬送方向に沿って搬送される用紙を支持するトレイ装置を対象としている。そして、前記用紙の搬送方向である第１方向に延設され該用紙の少なくとも一部を支持する支持トレイと、前記第１方向に搬送面上で直交する第２方向の少なくとも一端側に配設され、第２方向に移動可能な用紙ガイドと、前記第２方向の移動に基づいて、前記支持トレイよりも第１方向の上流側に向かって起立した起立位置と、前記第２方向に沿って倒れた倒伏位置との間で回動する回動トレイとを備えている。
【００３４】
この態様では、用紙ガイドを第２方向に移動させると、回動トレイが起立位置と倒伏位置との間で回動する。これにより、用紙ガイドの幅調整作業を行うだけで、回動トレイの位置調整作業を自動的に行うことができ、作業性が向上する。
【発明の効果】
【００３５】
本発明によれば、用紙ガイドの第２方向の移動に基づいて、回動トレイが起立位置と倒伏位置との間で回動するので、用紙ガイドの幅調整作業を行うだけで、回動トレイの位置調整作業を自動的に行うことができ、作業性が向上する。
【図面の簡単な説明】
【００３６】
【図１】本実施形態１に係るプリンタの構成を示す側面断面図である。
【図２】トレイ装置の構成を示す正面図である。
【図３】回動トレイが起立位置にあるときのトレイ装置の構成を示す背面図である。
【図４】回動トレイが倒伏位置にあるときのトレイ装置の構成を示す背面図である。
【図５】本実施形態２に係るトレイ装置の構成を示す背面図である。
【図６】本実施形態３に係るトレイ装置の構成を示す背面図である。
【図７】本実施形態４に係るトレイ装置の構成を示す背面図である。
【図８】本実施形態５に係るトレイ装置の構成を示す背面図である。
【図９】回動プレートの構成を示す正面図である。
【図１０】図９のＡ−Ａ矢視断面図である。
【図１１】本実施形態６に係るトレイ装置の構成を示す背面図である。
【図１２】回動トレイを所定の回動角度で姿勢保持したときの背面図である。
【図１３】本実施形態７に係るトレイ装置の構成を示す背面図である。
【発明を実施するための形態】
【００３７】
以下、本発明の実施形態を図面に基づいて説明する。なお、以下の好ましい実施形態の説明は、本質的に例示に過ぎず、本発明、その適用物或いはその用途を制限することを意図するものではない。
【００３８】
《実施形態１》
図１に示すように、プリンタ１０は、プリンタ本体１１と、プリンタ本体１１の一端側に立設するように配置されたトレイ装置２０と、プリンタ本体１１の他端側に水平に延びるように配置された排出トレイ１２とを備えている。トレイ装置２０には、記録媒体としての複数枚の用紙Ｐが厚み方向に積層された状態で収容されている。
【００３９】
なお、本実施形態では、トレイ装置２０が設けられる側をプリンタ後側といい、排出トレイ１２が設けられる側をプリンタ前側という。また、プリンタ前後方向に対して水平に直交する方向をプリンタ幅方向という。
【００４０】
プリンタ本体１１は、トレイ装置２０に支持された用紙Ｐを所定の搬送方向に沿って送り出す給紙ローラ１４と、プリンタ本体１１内で用紙Ｐを搬送する搬送ローラ１５と、インクジェット記録方式で用紙Ｐの片面に印刷を行うプリンタヘッド１６（印刷部）と、印刷後の用紙Ｐを排出トレイ１２に排出する排出ローラ１７とを備えている。
【００４１】
給紙ローラ１４は、トレイ装置２０に支持されたプリンタ前側に位置する用紙Ｐに圧着しながら回転駆動することで、プリンタ前側の用紙Ｐだけをトレイ装置２０からプリンタ本体１１側へ送り出す。
【００４２】
給紙ローラ１４によりトレイ装置２０から給紙された用紙Ｐは、プリンタ本体１１側の搬送ローラ１５に受け渡される。搬送ローラ１５は、プリンタヘッド１６へ用紙Ｐを送り出す。
【００４３】
プリンタヘッド１６は、用紙Ｐに対してインクを吐出することで、多数のインクドットからなる画像を印刷するためのものである。プリンタヘッド１６は、プリンタ幅方向に沿って移動可能に構成されている。
【００４４】
プリンタヘッド１６で印刷された用紙Ｐは、排出ローラ１７に受け渡される。排出ローラ１７は、排出トレイ１２に用紙Ｐを排出する。
【００４５】
以下、本実施形態の特徴部分であるトレイ装置２０の構成について説明する。図２〜図４に示すように、トレイ装置２０は、支持トレイ２１と、用紙ガイド２５と、回動トレイ３０と、リンク機構４０とを有する。
【００４６】
支持トレイ２１は、用紙Ｐの搬送方向（第１方向）に沿って延びる板状の部材で形成され、プリンタ前側から後側に向かって斜め上方に傾斜している。支持トレイ２１には、用紙Ｐの少なくとも一部が支持される。
【００４７】
具体的に、支持トレイ２１の高さは、プリンタ本体１１の高さと略一致している。そのため、はがきサイズのような小型の用紙Ｐであれば、支持トレイ２１によって用紙Ｐ全体を支持できる一方、Ａ４サイズのような大型の用紙Ｐであれば、用紙Ｐの上端部が支持トレイ２１の上端部から垂れ下がるようになっている。
【００４８】
支持トレイ２１におけるプリンタ幅方向（第１方向に搬送面上で直交する第２方向）の一端側には、基準ガイド２２が設けられている。基準ガイド２２は、支持トレイ２１に支持された用紙Ｐの端縁部を当接させることで、用紙Ｐを幅方向に位置決めすることができる。
【００４９】
支持トレイ２１には、プリンタ幅方向に沿って延びるガイド孔２３が形成されている。ガイド孔２３には、用紙ガイド２５の連結部２７が摺動可能に嵌め込まれている。
【００５０】
用紙ガイド２５は、支持トレイ２１のプリンタ前側に配設され、ガイド孔２３に沿って摺動することで、プリンタ幅方向に移動可能に構成されている。用紙ガイド２５は、支持トレイ２１におけるプリンタ幅方向の他端側、つまり、基準ガイド２２とは反対側に配設されている。
【００５１】
ここで、用紙ガイド２５を、用紙Ｐの幅に合わせてプリンタ幅方向に移動させ、基準ガイド２２と用紙ガイド２５との間で用紙Ｐを挟持することで、用紙Ｐのプリンタ幅方向の位置決めを行うことができる。
【００５２】
用紙ガイド２５には、ガイドラック部２６が一体形成されている。ガイドラック部２６は、支持トレイ２１のプリンタ後側に配設されている。用紙ガイド２５とガイドラック部２６とは、ガイド孔２３に嵌め込まれた連結部２７によって連結されている。ガイドラック部２６のギア部分は、ガイドラック部２６のプリンタ下側に設けられている。
【００５３】
回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の中央寄りの位置に配設されている。回動トレイ３０には、回動ギア部３２が一体形成されている。回動ギア部３２は、中心軸３１と同軸に形成されている。
【００５４】
回動トレイ３０は、中心軸３１を中心に、支持トレイ２１よりも上方に向かって起立した起立位置（図３参照）と、用紙Ｐの幅方向に沿って倒れた倒伏位置（図４参照）との間で回動可能となっている。回動トレイ３０は、用紙Ｐの幅方向の中央寄りの位置で起立する。回動トレイ３０の長さは、倒伏位置にあるときに支持トレイ２１の幅方向の長さを超えない範囲に設定されている。
【００５５】
リンク機構４０は、用紙ガイド２５のガイドラック部２６と、ガイドラック部２６に噛み合う第１のピニオンギア４１と、第１のピニオンギア４１に噛み合う第２のピニオンギア４２と、回動トレイ３０の回動ギア部３２と、第２のピニオンギア４２の回転駆動力を回動ギア部３２に伝達するラック部材４３とを有する。
【００５６】
具体的に、ガイドラック部２６のギア部分は、プリンタ下側に設けられている。第１のピニオンギア４１は、ガイドラック部２６の下方に配設されてガイドラック部２６に噛み合っている。第２のピニオンギア４２は、第１のピニオンギア４１の下方に配設されて第１のピニオンギア４１に噛み合っている。
【００５７】
ラック部材４３は、第２のピニオンギア４２及び回動ギア部３２の下方に配設されている。ラック部材４３のギア部分は、プリンタ上側に設けられている。ラック部材４３のギア部分は、プリンタ幅方向に間隔をあけて２箇所に設けられており、それぞれ、第２のピニオンギア４２と、回動ギア部３２とに噛み合っている。
【００５８】
以下、用紙Ｐの幅に合わせて、用紙ガイド２５を幅方向に移動させる動作に基づいて、回動トレイ３０を起立位置と倒伏位置との間で回動させるためのリンク機構４０の動作について説明する。
【００５９】
図３では、例えば、Ａ４サイズのような幅広の用紙Ｐを支持するために、回動トレイ３０が起立位置に位置している。ここで、用紙サイズを変更して、例えば、はがきサイズのような幅狭の用紙Ｐを支持する場合には、回動トレイ３０によって用紙Ｐを支持する必要が無いため、回動トレイ３０を倒伏位置に回動させるようにしている。
【００６０】
具体的に、図３に示すように、回動トレイ３０が起立位置にある状態から、用紙ガイド２５を基準ガイド２２に向かって幅方向に移動させると、ガイドラック部２６に噛み合っている第１のピニオンギア４１が、図３で反時計回り方向に回転する。このとき、第１のピニオンギア４１に噛み合っている第２のピニオンギア４２は、図３で時計回り方向に回転する。
【００６１】
第２のピニオンギア４２に噛み合っているラック部材４３は、用紙ガイド２５と同じ方向に移動する。このとき、ラック部材４３のギア部分に噛み合っている回動ギア部３２は、図３で時計回り方向に回転する。これにより、回動トレイ３０は、図３で時計周り方向に回動して、倒伏位置に位置付けられる。回動トレイ３０が倒伏位置に位置付けられた後は、用紙ガイド２５のガイドラック部２６と、第１のピニオンギア４１との噛み合い状態が解除される。
【００６２】
なお、回動トレイ３０が倒伏位置にある状態（図４参照）から起立位置（図３参照）に戻す動作については、上述した動作を逆に行えばよいため、その説明を省略する。
【００６３】
以上のように、本実施形態に係るトレイ装置２０によれば、用紙ガイド２５の幅方向の移動に基づいて、リンク機構４０を介して、回動トレイ３０が起立位置と倒伏位置との間で回動するので、用紙ガイド２５の幅調整作業を行うだけで、回動トレイ３０の位置調整作業を自動的に行うことができ、作業性が向上する。
【００６４】
《実施形態２》
図５は、本実施形態２に係るトレイ装置の構成を示す背面図である。以下、前記実施形態１と同じ部分については同じ符号を付し、相違点についてのみ説明する。
【００６５】
図５に示すように、回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の端部寄りの位置、具体的には、用紙ガイド２５とは反対側の位置に配設されている。
【００６６】
回動トレイ３０は、中心軸３１を中心に、支持トレイ２１よりも上方に向かって起立した起立位置と、用紙Ｐの幅方向に沿って倒れた倒伏位置との間で回動可能となっている。回動トレイ３０は、用紙Ｐの幅方向の端部寄りの位置で起立する。回動トレイ３０の長さは、倒伏位置にあるときに支持トレイ２１の幅方向の長さを超えない範囲に設定されている。
【００６７】
このような構成とすれば、用紙Ｐの幅方向の端部寄りの位置で回動トレイ３０が起立するので、起立位置にあるときの回動トレイ３０の全長を長めに設定することができ、用紙Ｐの支持面積を大きくすることができる。
【００６８】
《実施形態３》
図６は、本実施形態３に係るトレイ装置の構成を示す背面図である。以下、前記実施形態１と同じ部分については同じ符号を付し、相違点についてのみ説明する。
【００６９】
図６に示すように、回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の端部寄りの位置、具体的には、用紙ガイド２５とは反対側の位置に配設されている。また、中心軸３１は、回動トレイ３０における幅方向の中央位置よりも基準ガイド２２寄りの位置で回動トレイ３０を支持している。
【００７０】
回動トレイ３０は、中心軸３１を中心に、支持トレイ２１よりも上方に向かって起立した起立位置と、用紙Ｐの幅方向に沿って倒れた倒伏位置との間で回動可能となっている。回動トレイ３０は、用紙Ｐの幅方向の端部寄りの位置で起立する。また、回動トレイ３０の幅は、倒伏位置にあるときに、回動トレイ３０の全体が支持トレイ２１側から見て支持トレイ２１に重なり合う範囲に設定されている。
【００７１】
このような構成とすれば、回動トレイ３０が倒伏位置にあるときには、回動トレイ３０を支持トレイ２１のプリンタ後側に格納することができ、見栄えが向上するとともに設置スペースを削減することができる。また、回動トレイ３０が支持トレイ２１に重なり合う範囲内で、回動トレイ３０の幅をできる限り大きくすれば、用紙Ｐの支持面積を大きくした幅広の回動トレイ３０を形成することができる。
【００７２】
《実施形態４》
図７は、本実施形態４に係るトレイ装置の構成を示す背面図である。以下、前記実施形態１と同じ部分については同じ符号を付し、相違点についてのみ説明する。
【００７３】
図７に示すように、回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の端部寄りの位置、具体的には、用紙ガイド２５とは反対側の位置に配設されている。
【００７４】
回動トレイ３０は、中心軸３１を中心に、支持トレイ２１よりも上方に向かって起立した起立位置と、用紙Ｐの幅方向に沿って倒れた倒伏位置との間で回動可能となっている。回動トレイ３０は、用紙Ｐの幅方向の端部寄りの位置で起立する。
【００７５】
回動トレイ３０は、起立部３５と、延設部３６とを有する。起立部３５は、回動トレイ３０が起立位置にあるときに、用紙Ｐの搬送方向に沿って上方に延びている。延設部３６は、起立部３５の上端部からプリンタ幅方向の一方側に向かって延びている。本実施形態では、中心軸３１が、プリンタ幅方向の用紙ガイド２５とは反対側の位置に配設されているので、延設部３６は、プリンタ幅方向の用紙ガイド２５側に向かって延びている。
【００７６】
このような構成とすれば、回動トレイ３０は、起立部３５及び延設部３６によってＬ字状に形成されているので、延設部３６を延ばした分だけ、用紙Ｐの支持面積を大きくすることができ、用紙Ｐを安定して支持することができる。
【００７７】
《実施形態５》
図８は、本実施形態５に係るトレイ装置の構成を示す背面図である。以下、前記実施形態１と同じ部分については同じ符号を付し、相違点についてのみ説明する。
【００７８】
図８に示すように、回動トレイ３０は、支持トレイ２１のプリンタ後側に配設された板状の部材で形成されている。回動トレイ３０は、板厚方向に重ね合わされた複数枚の回動プレート３７を有する。複数枚の回動プレート３７は、支持トレイ２１に直交して延びる同軸の中心軸３１を中心に回動可能に支持されている。
【００７９】
中心軸３１は、プリンタ幅方向の端部寄りの位置、具体的には、用紙ガイド２５とは反対側の位置に配設されている。最もプリンタ後側に位置する回動プレート３７には、回動ギア部３２が一体形成されている。回動ギア部３２は、中心軸３１と同軸に形成されている。
【００８０】
回動トレイ３０は、中心軸３１を中心に、支持トレイ２１よりも上方に向かって起立した起立位置と、用紙Ｐの幅方向に沿って倒れた倒伏位置との間で回動可能となっている。このとき、複数枚の回動プレート３７は、用紙ガイド２５のプリンタ幅方向の移動に基づいて、扇状に開閉するようになっている。
【００８１】
具体的に、図９及び図１０に示すように、回動プレート３７には、係合溝３７ａと、係合爪３７ｂとが設けられている。係合溝３７ａは、回動プレート３７のプリンタ後側の面に形成されており、中心軸３１を中心とした円弧状で且つ回動プレート３７の幅方向の一端側のみが開口した切欠き状に形成されている。本実施形態では、係合溝３７ａは、倒伏位置にあるときの回動プレート３７の上端側が開口している。
【００８２】
係合爪３７ｂは、回動プレート３７のプリンタ前側の面に設けられており、係合溝３７ａに沿って摺動可能となっている。本実施形態では、係合爪３７ｂは、倒伏位置にあるときの回動プレート３７の下端側に設けられている。
【００８３】
そして、用紙ガイド２５の幅方向の移動に基づいて、最もプリンタ後側に位置する回動プレート３７が中心軸３１を中心に回動して持ち上がる際に、係合爪３７ｂが、隣接する回動プレート３７の係合溝３７ａに沿って相対的に摺動して、係合溝３７ａの摺動方向の端部において回動プレート３７に係合する。これにより、複数枚の回動プレート３７が順次持ち上がって扇状に開いていくこととなるので、用紙Ｐの幅に合わせて用紙Ｐの支持面積を可変とすることができる。
【００８４】
《実施形態６》
図１１は、本実施形態６に係るトレイ装置の構成を示す背面図である。以下、前記実施形態１と同じ部分については同じ符号を付し、相違点についてのみ説明する。
【００８５】
図１１に示すように、回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の端部寄りの位置、具体的には、用紙ガイド２５とは反対側の位置に配設されている。
【００８６】
回動トレイ３０は、中心軸３１を中心に、支持トレイ２１よりも上方に向かって起立した起立位置と、用紙Ｐの幅方向に沿って倒れた倒伏位置との間で回動可能となっている。
【００８７】
支持トレイ２１におけるプリンタ後側の面には、複数の嵌合凹部２９が形成されている。嵌合凹部２９は、中心軸３１を中心とする円弧に沿って間隔をあけて５つ形成されている。
【００８８】
回動トレイ３０には、起立位置にあるときの回動トレイ３０の下端部から下方に延びるレバー部３８が一体形成されている。レバー部３８のプリンタ前側の面には、嵌合凹部２９に嵌合する嵌合凸部３９が設けられている。
【００８９】
図１２に示すように、回動トレイ３０は、嵌合凸部３９を嵌合凹部２９に嵌合することで、所定の回動角度で姿勢保持される。つまり、嵌合凸部３９と嵌合凹部２９とによって、回動トレイ３０の姿勢保持を行うためのロック部が構成されている。
【００９０】
ここで、複数の嵌合凹部２９は、複数の用紙サイズに対応した回動角度に合わせて形成されている。例えば、最もプリンタ下側に位置する嵌合凹部２９は、Ａ４サイズの用紙Ｐに対応した回動角度で回動トレイ３０を姿勢保持するためのものである。残りの嵌合凹部２９は、例えば、Ｂ５サイズ、Ａ５サイズ、Ａ６サイズ、はがきサイズの用紙Ｐに対応した回動角度で回動トレイ３０を姿勢保持するためのものである。つまり、用紙Ｐの長さが短いほど、回動トレイ３０で支持する面積も少なくて済むため、回動トレイ３０の回動角度が小さくなるように設定されている。
【００９１】
このような構成とすれば、嵌合凹部２９に嵌合凸部３９を嵌合することで、回動トレイ３０を用紙サイズに対応した回動角度で姿勢保持することができる。
【００９２】
なお、本実施形態では、支持トレイ２１側に複数の嵌合凹部２９が形成され、回動トレイ３０側に嵌合凸部３９が設けられた構成について説明したが、この形態に限定するものではない。例えば、支持トレイ２１側に複数の嵌合凸部３９が設けられ、回動トレイ３０側に嵌合凹部２９が形成された構成であってもよい。
【００９３】
また、本実施形態では、用紙ガイド２５の幅方向の移動に基づいて回動トレイ３０の回動角度を調整するようにしているが、回動トレイ３０側を手動で回動させて嵌合凹部２９と嵌合凸部３９に嵌合することで、用紙サイズに合わせた回動角度に姿勢保持しつつ、この回動動作に基づいて用紙ガイド２５を用紙サイズに合わせて幅調整するようにしてもよい。
【００９４】
《実施形態７》
図１３は、本実施形態７に係るトレイ装置の構成を示す背面図である。以下、前記実施形態１と同じ部分については同じ符号を付し、相違点についてのみ説明する。
【００９５】
図１３に示すように、用紙ガイド２５には、ガイドラック部２６が一体形成されている。ガイドラック部２６は、支持トレイ２１のプリンタ後側に配設されている。ガイドラック部２６のギア部分は、ガイドラック部２６のプリンタ下側に設けられている。
【００９６】
回動トレイ３０は、支持トレイ２１のプリンタ後側に配設された板状の部材で形成されている。回動トレイ３０は、支持トレイ２１に直交して延びる中心軸３１を中心に回動可能に支持されている。中心軸３１は、プリンタ幅方向の中央寄りの位置に配設されている。回動トレイ３０には、回動ギア部３２が一体形成されている。回動ギア部３２は、中心軸３１と同軸に形成されている。
【００９７】
回動トレイ３０は、中心軸３１を中心に、支持トレイ２１よりも上方に向かって起立した起立位置と、用紙Ｐの幅方向に沿って倒れた倒伏位置との間で回動可能となっている。
【００９８】
リンク機構４０は、用紙ガイド２５のガイドラック部２６と、第１のプーリー部４５ａが一体に設けられてガイドラック部２６に噛み合う第１のプーリー付ギア４５と、回動トレイ３０の回動ギア部３２と、第２のプーリー部４６ａが一体に設けられて回動ギア部３２に噛み合う第２のプーリー付ギア４６と、第１のプーリー部４５ａ及び第２のプーリー部４６ａに巻き掛けられた伝動ベルト４７とを有する。
【００９９】
具体的に、ガイドラック部２６のギア部分は、プリンタ下側に設けられている。第１のプーリー付ギア４５は、ガイドラック部２６の下方に配設されてガイドラック部２６に噛み合っている。第２のプーリー付ギア４６は、回動ギア部３２の下方に配設されて回動ギア部３２に噛み合っている。第１のプーリー付ギア４５の第１のプーリー部４５ａと、第２のプーリー付ギア４６の第２のプーリー部４６ａとには、伝動ベルト４７が巻き掛けられている。これにより、第１のプーリー付ギア４５の回転駆動力が、伝動ベルト４７を介して回動ギア部３２に伝達される。
【０１００】
以下、用紙Ｐの幅に合わせて、用紙ガイド２５を幅方向に移動させる動作に基づいて、回動トレイ３０を起立位置と倒伏位置との間で回動させるためのリンク機構４０の動作について説明する。
【０１０１】
図１３では、例えば、Ａ４サイズのような幅広の用紙Ｐを支持するために、回動トレイ３０が起立位置に位置している。ここで、用紙サイズを変更して、例えば、はがきサイズのような幅狭の用紙Ｐを支持する場合には、回動トレイ３０によって用紙Ｐを支持する必要が無いため、回動トレイ３０を倒伏位置に回動させるようにしている。
【０１０２】
具体的に、回動トレイ３０が起立位置にある状態から、用紙ガイド２５を基準ガイド２２に向かって幅方向に移動させると、ガイドラック部２６に噛み合っている第１のプーリー付ギア４５が、図１３で反時計回り方向に回転する。このとき、伝動ベルト４７は、図１３で反時計回りに回転する。
【０１０３】
第２のプーリー付ギア４６は、伝動ベルト４７の回転によって、図１３で反時計回り方向に回転する。このとき、第２のプーリー付ギア４６に噛み合っている回動ギア部３２は、図１３で時計回り方向に回転する。これにより、回動トレイ３０は、図１３で時計周り方向に回動して、倒伏位置に位置付けられる（図１３の仮想線を参照）。
【０１０４】
なお、回動トレイ３０が倒伏位置にある状態から起立位置に戻す動作については、上述した動作を逆に行えばよいため、その説明を省略する。
【０１０５】
以上のように、本実施形態に係るトレイ装置２０によれば、用紙ガイド２５の幅方向の移動に基づいて、リンク機構４０を介して、回動トレイ３０が起立位置と倒伏位置との間で回動するので、用紙ガイド２５の幅調整作業を行うだけで、回動トレイ３０の位置調整作業を自動的に行うことができ、作業性が向上する。
【０１０６】
《その他の実施形態》
前記実施形態については、以下のような構成としてもよい。
【０１０７】
本実施形態では、用紙ガイド２５を基準ガイド２２に向かって移動させることで、用紙ガイド２５と基準ガイド２２との間に用紙Ｐを狭持するようにしているが、この形態に限定するものではない。例えば、用紙Ｐの幅方向の両側に、幅方向に移動可能な用紙ガイド２５をそれぞれ配設して、用紙Ｐの幅方向の中心位置をプリンタ本体１１の幅方向の中心位置に合わせて搬送できるようにしてもよい。
【０１０８】
また、本実施形態では、トレイ装置２０をプリンタ１０に搭載した構成について説明したが、例えば、画像読み取り装置の原稿トレイとしても適用可能である。
【産業上の利用可能性】
【０１０９】
以上説明したように、本発明は、用紙サイズを変更する際に、用紙を幅方向に位置決めする用紙ガイドの幅調整作業と、用紙を支持するトレイの位置調整作業とを容易に行うことができるという実用性の高い効果が得られることから、きわめて有用で産業上の利用可能性は高い。
【符号の説明】
【０１１０】
１０    プリンタ
１６    プリンタヘッド（印刷部）
２０    トレイ装置
２１    支持トレイ
２５    用紙ガイド
２６    ガイドラック部
２９    嵌合凹部（ロック部）
３０    回動トレイ
３２    回動ギア部
３５    起立部
３６    延設部
３７    回動プレート
３７ａ  係合溝
３７ｂ  係合爪
３９    嵌合凸部（ロック部）
４０    リンク機構
４１    第１のピニオンギア
４２    第２のピニオンギア
４３    ラック部材
４５    第１のプーリー付ギア
４５ａ  第１のプーリー部
４６    第２のプーリー付ギア
４６ａ  第２のプーリー部
４７    伝動ベルト
Ｐ    用紙
【図１】
2017030934.tif 000003
【図２】
2017030934.tif 000004
【図３】
2017030934.tif 000005
【図４】
2017030934.tif 000006
【図５】
2017030934.tif 000007
【図６】
2017030934.tif 000008
【図７】
2017030934.tif 000009
【図８】
2017030934.tif 000010
【図９】
2017030934.tif 000011
【図１０】
2017030934.tif 000012
【図１１】
2017030934.tif 000013
【図１２】
2017030934.tif 000014
【図１３】
2017030934.tif 000015